(57)【要約】  本発明は、マーキングオブジェクトであって、少なくとも１つのオブジェクトキャリア（２）、及び該オブジェクトキャリア（２）によって保持される少なくとも１つのオブジェクトブランク（３）を備え、該オブジェクトブランク（３）がマーキング装置（７）によってマーキング可能である形式のものに関する。本発明の課題は、この種のマーキングオブジェクトを、その使用時に知られる欠点が少なくとも部分的に取り除かれるように構成することである。上記課題は、本発明により、まず、そして実質的に、前記オブジェクトキャリア（２）が、少なくとも１つの識別手段（４ａ，４ｂ，４ｃ，４ｄ）を備え、該識別手段（４ａ，４ｂ，４ｃ，４ｄ）が、当該マーキングオブジェクト（１）に関する少なくとも１つの情報を含む、かつ／又は該識別手段（４ａ，４ｂ，４ｃ，４ｄ）内に、当該マーキングオブジェクト（１）に関する少なくとも１つの情報が格納可能であることによって解決されている。
2010534582.tif 000002
【特許請求の範囲】
【請求項１】
マーキングオブジェクトであって、少なくとも１つのオブジェクトキャリア（２）、及び該オブジェクトキャリア（２）によって保持される少なくとも１つのオブジェクトブランク（３）を備え、該オブジェクトブランク（３）がマーキング装置（７）によってマーキング可能である形式のものにおいて、
前記オブジェクトキャリア（２）が、少なくとも１つの識別手段（４ａ，４ｂ，４ｃ，４ｄ）を備え、該識別手段（４ａ，４ｂ，４ｃ，４ｄ）が、当該マーキングオブジェクト（１）に関する少なくとも１つの情報を含む、かつ／又は該識別手段（４ａ，４ｂ，４ｃ，４ｄ）内に、当該マーキングオブジェクト（１）に関する少なくとも１つの情報が格納可能であることを特徴とする、マーキングオブジェクト。
【請求項２】
前記識別手段（４ａ，４ｂ，４ｃ，４ｄ）がレタリング及び／又はエングレービング及び／又はスタンピング及び／又はパンチング及び／又は電子的なデータキャリア、特にＲＦＩＤチップ又は磁気テープとして構成されている、請求項２記載のマーキングオブジェクト。
【請求項３】
前記オブジェクトキャリア（２）が、少なくとも１つのウェブ（５）、有利にはしかし、互いに略平行に延びる２つのウェブ（５）を備え、前記識別手段（４ａ，４ｂ，４ｃ，４ｄ）が、少なくとも部分的に、前記オブジェクトキャリア（２）の前記ウェブ（５）に設けられている、請求項１又は２記載のマーキングオブジェクト。
【請求項４】
複数の識別手段（４ａ，４ｂ，４ｃ，４ｄ）が前記オブジェクトキャリア（２）に設けられており、複数の識別手段（４ａ，４ｂ，４ｃ，４ｄ）のうちの少なくとも１つの識別手段の情報が、当該マーキングオブジェクト（１）の配向にかかわらず検出可能であるか、あるいは情報が、複数の識別手段（４ａ，４ｂ，４ｃ，４ｄ）のうちの少なくとも１つの識別手段内に、当該マーキングオブジェクト（１）の配向にかかわらず格納可能である、請求項１から３までのいずれか１項記載のマーキングオブジェクト。
【請求項５】
前記識別手段（４ａ，４ｂ，４ｃ，４ｄ）の、当該マーキングオブジェクト（１）に関する情報が、メーカ標識（４ａ）及び／又はタイプ標識（４ｂ）である、請求項１から４までのいずれか１項記載のマーキングオブジェクト。
【請求項６】
前記識別手段（４ａ，４ｂ，４ｃ，４ｄ）の、当該マーキングオブジェクト（１）に関する情報が、当該マーキングオブジェクト（１）、あるいは前記オブジェクトキャリア（２）における前記オブジェクトブランク（３）の配置が対称的であるか、又は非対称的であるかが認識されるシンメトリ標識（４ｃ）である、請求項１から５までのいずれか１項記載のマーキングオブジェクト。
【請求項７】
前記識別手段（４ａ，４ｂ，４ｃ，４ｄ）の、当該マーキングオブジェクト（１）に関する情報が、当該マーキングオブジェクト（１）の配向を示す、特に、前記識別手段（４ａ，４ｂ，４ｃ，４ｄ）が当該マーキングオブジェクト（１）の前面又は背面に設けられているか、かつ／又は当該マーキングオブジェクト（１）の前面及び／又は背面のどちら側に前記識別手段（４ａ，４ｂ，４ｃ，４ｄ）が設けられているかを示す、請求項１から６までのいずれか１項記載のマーキングオブジェクト。
【請求項８】
前記識別手段（４ａ，４ｂ，４ｃ，４ｄ）が、どのオブジェクトブランク（３）がマーキングされ、どのオブジェクトブランク（３）が未だマーキングされていないかについての情報が内部に格納されている、かつ格納可能であるように構成されているオブジェクトブランク標識（４ｄ）である、請求項１から７までのいずれか１項記載のマーキングオブジェクト。
【請求項９】
前記識別手段（４ａ，４ｂ，４ｃ，４ｄ）が、前記オブジェクトキャリア（２）の外側の縁部（６）、特に、規定通りの使用時に当該マーキングオブジェクト（１）の先頭に立って前記マーキング装置（７）に導入可能な外側の縁部（６）に設けられている、請求項８記載のマーキングオブジェクト。
【請求項１０】
請求項１から９までのいずれか１項記載の少なくとも１つのマーキングオブジェクト（１）をマーキングするためのマーキング装置であって、少なくとも１つのマーキングユニット（８）、少なくとも１つのマーキングオブジェクトホルダ（９）、及び少なくとも１つの設定された又は設定可能なマーキングパターンを備え、前記マーキングユニット（８）及び前記マーキングオブジェクトホルダ（９）が、主搬送方向（Ｔ）で互いに相対的に可動であり、前記マーキングオブジェクト（１）が、少なくとも１つのオブジェクトキャリア（２）、及び該オブジェクトキャリア（２）により保持される少なくとも１つのオブジェクトブランク（３）を備え、前記オブジェクトキャリア（２）が少なくとも１つの識別手段（４ａ，４ｂ，４ｃ，４ｄ）を備える形式のものにおいて、
少なくとも１つの検出及び／又は影響装置（１０）が前記識別手段（４ａ，４ｂ，４ｃ，４ｄ）との相互作用のために設けられており、該検出及び／又は影響装置（１０）を介して、前記マーキングオブジェクト（１）に関する少なくとも１つの情報が検出可能である、かつ／又は前記マーキングオブジェクト（１）に関する少なくとも１つの情報が、前記識別手段（４ａ，４ｂ，４ｃ，４ｄ）内に格納可能であることを特徴とする、マーキング装置。
【請求項１１】
前記マーキングオブジェクト（１）の前記オブジェクトブランク（３）をマーキングする前に、前記検出及び／又は影響装置（１０）によって、前記マーキングオブジェクト（１）に関する情報、特にメーカ標識（４ａ）及び／又はタイプ標識（４ｂ）及び／又はシンメトリ標識（４ｃ）及び／又は配向及び／又は前記マーキングオブジェクト（１）のマーキング済み又は未マーキングのオブジェクトブランク（３）、すなわちオブジェクトブランク標識（４ｄ）が検出され、留保される、請求項１０記載のマーキング装置。
【請求項１２】
前記検出され、留保される、マーキングオブジェクト（１）に関する情報が、前記マーキングユニット（８）のパラメータ設定及び／又は制御のために使用される、請求項１１記載のマーキング装置。
【請求項１３】
前記オブジェクトブランク（３）の配向に関する情報が、前記マーキングパターンの適当な位置合わせ、特に回転、及び／又はスケーリングに至るので、前記オブジェクトブランク（３）のマーキングが、前記マーキングオブジェクトホルダ（９）内における前記マーキングオブジェクト（１）の位置にかかわらず実施可能である、請求項１１又は１２記載のマーキング装置。
【請求項１４】
前記マーキングオブジェクト（１）のマーキング済み又は未マーキングのオブジェクトブランク（３）に関する、検出され、留保される情報が、前記マーキングユニット（８）の制御及び／又はマーキングパターンの適合のために使用されるので、未マーキングのオブジェクトブランク（３）のみが前記マーキングユニット（８）によってマーキングされる、請求項１１から１３までのいずれか１項記載のマーキング装置。
【請求項１５】
前記検出及び／又は影響装置（１０）が識別手段（４ａ，４ｂ，４ｃ，４ｄ）内に、どのオブジェクトブランク（３）をマーキングしたかについての情報を格納あるいは更新する、請求項１１から１４までのいずれか１項記載のマーキング装置。
【発明の詳細な説明】
【技術分野】
【０００１】
本発明は、マーキングオブジェクトであって、少なくとも１つのオブジェクトキャリア、及び該オブジェクトキャリアによって保持される少なくとも１つのオブジェクトブランクを備え、該オブジェクトブランクがマーキング装置によってマーキング可能である形式のものに関する。さらに本発明は、このようなマーキングオブジェクトをマーキングするためのマーキング装置であって、少なくとも１つのマーキングユニット、少なくとも１つのマーキングオブジェクトホルダ、及び少なくとも１つの設定された又は設定可能なマーキングパターンを備え、前記マーキングユニット及び前記マーキングオブジェクトホルダが、主搬送方向で互いに相対的に可動である形式のものに関する。
【０００２】
上述したような形態のマーキングオブジェクトは、従来から公知であって、工業的かつ産業的な実際の使用において、しばしば、ハウジング及び端子の標示の枠内で、例えばタグ（Ｅｔｉｋｅｔｔ）、自己接着型又はクリップ留め可能なマーカストリップ（Ｋｅｎｎｚｅｉｃｈｎｕｎｇｓｓｔｒｅｉｆｅｎ）、マーカカード（Ｋｅｎｎｚｅｉｃｈｎｕｎｇｓｋａｒｔｅ）、ザックストリップ（Ｚａｃｋｂａｎｄ）、インサートラベル（Ｅｉｎｓｔｅｃｋｓｃｈｉｌｄ）、ラベルシート（Ｓｃｈｉｌｄｅｒｐｌａｔｔｅ）、クランプストリップ（Ｋｌｅｍｍｌｅｉｓｔｅ）、マーキングカラー（Ｂｅｚｅｉｃｈｎｕｎｇｓｈｕｅｌｓｅ）、マーキングラベル（Ｂｅｚｅｉｃｈｎｕｎｇｓｓｃｈｉｌｄ）又はその他の成形部品の形態で使用される。これらのオブジェクトブランクは、大抵の場合、大量の個数で１つのオブジェクトキャリアによって保持される。成形部品において、オブジェクトキャリアは、しばしば、フレーム、例えばプラスチックからなるフレームである。オブジェクトブランクは、フレームとして形成されるオブジェクトキャリアに、目標破断箇所（Ｓｏｌｌｂｒｕｃｈｓｔｅｌｌｅ）をなすウェブを介して結合されている。このウェブの切断によって、成形部品はオブジェクトキャリアから解離可能である。
【０００３】
面状のオブジェクトブランク、つまり、特にタグ又はマーキングラベルの場合、複数のタグあるいはマーキングラベルが、並んで１つの面状のオブジェクトキャリア、しばしば、面状の積層された紙ウェブ又は有利にはプラスチック射出成形部品上に配置されている。
【０００４】
マーキングオブジェクトは、オブジェクトブランクのマーキングのために、一般に、マーキング装置、あるはいマーキング装置のマーキングオブジェクトホルダに装入され、マーキング装置によって引き込まれる。続いて、オブジェクトブランクにマーキングパターン、大抵の場合、英数字の符号が施される。本来のマーキングのために働くマーキングユニットは、大抵の場合、プリンタ、あるいはインク塗布によってマーキングを行う印刷ヘッドである。この種のプリンタは、従来から公知であり、大抵の場合、紙に印刷することが予定されている。複数のマーキングラベルをオブジェクトブランクとして備える、プラスチックからなるマーキングオブジェクトも印刷可能なプリンタは、例えばＤＥ１０２００６００３０５６Ａ１において公知である。
【０００５】
しかし、マーキングユニットは、圧力の消費又は切削加工によって所定のマーキングパターンをそれぞれのオブジェクトブランクに付与するプレス工具又は彫刻工具であってもよい。
【０００６】
公知のマーキング装置を備えるマーキングオブジェクトのマーキングは、幾つかの欠点を有している。実際の使用において、例えば、しばしば、マーキングオブジェクトに含まれるオブジェクトブランクの幾つかだけが同時に必要とされ、その結果、マーキングオブジェクトが一作業工程で部分的にのみマーキング、すなわちオブジェクトブランクの一部のみがマーキングされ、残りのマーキングされていないオブジェクトブランクを備えるマーキングオブジェクトは、大抵の場合、再利用されることなく、廃棄物として未使用のまま廃棄されてしまう。
【０００７】
さらに、マーキング装置の操作時、マーキングオブジェクトが唯一の正しい向きでマーキングオブジェクトホルダによって案内され、保持されることに非常な注意を払わなければならない。それというのも、さもなければマーキングパターンが間違ってマーキングオブジェクトあるいはオブジェクトブランク上に施されてしまうからである。特に非対称的なマーキングオブジェクト、あるいは非対称的にオブジェクトキャリア内に配置されるオブジェクトブランクにおいて、マーキングオブジェクトホルダ内におけるマーキングオブジェクトの誤った位置合わせは、オブジェクトブランクの誤ったマーキングに至り、オブジェクトブランクをもはや再利用不可能なものとしてしまう。
【０００８】
また、種々異なるマーキングオブジェクトの使用時、つまり、例えば異なるメーカのマーキングオブジェクトの使用時はもちろん、種々異なるタイプのマーキングオブジェクトの使用時ですら、適当な装置において、マーキング装置のパラメータ設定（Ｐａｒａｍｅｔｒｉｅｒｕｎｇ）に注意を払わなければならない。このようなパラメータ設定は、一般に、マーキングオブジェクトが製造されている材料の考慮を含む。それというのも、例えば、マーキングを実施するにあたってインク塗布をどの程度の厚さにするか、又は例えば文字入れあるいは印字されたオブジェクトブランクを続いてどの程度の温度で乾燥させるか、又はどの程度の照射強度でオブジェクトブランクを照射するかは、マーキングオブジェクトが製造されている材料に依存しているからである。マーキング装置の誤ったパラメータ設定、つまり使用されるマーキングオブジェクトの特徴を顧慮しないパラメータ設定は、やはり、マーキングオブジェクトが正しくマーキングされず、廃棄とせざるをえないということに至る。
【０００９】
それゆえ、本発明の課題は、公知のマーキングオブジェクト、及びマーキングオブジェクトをマーキングするための公知のマーキング装置における上記欠点を、少なくとも部分的に取り除くことである。
【００１０】
上記課題は、上述のマーキングオブジェクトにおいて、本発明によって、まず、前記オブジェクトキャリアが、少なくとも１つの識別手段を備え、該識別手段が、当該マーキングオブジェクトに関する少なくとも１つの情報を含む、かつ／又は該識別手段内に、当該マーキングオブジェクトに関する少なくとも１つの情報が格納可能であることによって解決されている。マーキングオブジェクトを本発明のように構成することにより、マーキングオブジェクトに関する情報が直接マーキングオブジェクト自体に結び付けられているか、あるいは結び付け可能であることが達成されるので、マーキングオブジェクト、あるいはマーキングオブジェクトのオブジェクトブランクの、正確なマーキングのために必要な情報が、マーキングオブジェクト自体から入手可能であるか、あるいはマーキングオブジェクト自体に格納可能である。好ましくは、前記識別手段がレタリング及び／又はエングレービング及び／又はスタンピング及び／又はパンチング及び／又は電子的なデータキャリア、特にＲＦＩＤチップ又は磁気テープとして構成されている。好ましくは、前記オブジェクトキャリアが、少なくとも１つのウェブ、有利にはしかし、互いに略平行に延びる２つのウェブを備え、前記識別手段が、少なくとも部分的に、前記オブジェクトキャリアの前記ウェブに設けられている。好ましくは、複数の識別手段が前記オブジェクトキャリアに設けられており、複数の識別手段のうちの少なくとも１つの識別手段の情報が、当該マーキングオブジェクトの配向にかかわらず検出可能であるか、あるいは情報が、複数の識別手段のうちの少なくとも１つの識別手段内に、当該マーキングオブジェクトの配向にかかわらず格納可能である。好ましくは、前記識別手段の、当該マーキングオブジェクトに関する情報が、メーカ標識及び／又はタイプ標識である。好ましくは、前記識別手段の、当該マーキングオブジェクトに関する情報が、当該マーキングオブジェクト、あるいは前記オブジェクトキャリアにおける前記オブジェクトブランクの配置が対称的であるか、又は非対称的であるかが認識されるシンメトリ標識である。好ましくは、前記識別手段の、当該マーキングオブジェクトに関する情報が、当該マーキングオブジェクトの配向を示す、特に、前記識別手段が当該マーキングオブジェクトの前面又は背面に設けられているか、かつ／又は当該マーキングオブジェクトの前面及び／又は背面のどちら側に前記識別手段が設けられているかを示す。好ましくは、前記識別手段が、どのオブジェクトブランクがマーキングされ、どのオブジェクトブランクが未だマーキングされていないかについての情報が内部に格納されている、かつ格納可能であるように構成されているオブジェクトブランク認識である。好ましくは、前記識別手段が、前記オブジェクトキャリアの外側の縁部、特に、規定通りの使用時に当該マーキングオブジェクトの先頭に立って前記マーキング装置に導入可能な外側の縁部に設けられている。
【００１１】
本発明の一形態では、識別手段がオブジェクトキャリアのレタリング（Ｂｅｓｃｈｒｉｆｔｕｎｇ）及び／又はエングレービング（Ｇｒａｖｕｒ）及び／又はスタンピング（Ｐｒａｅｇｕｎｇ）及び／又はパンチング（Ｌｏｃｈｕｎｇ）にあり、これらの形態は特に、それが簡単に、僅かなコストで設けることができるので、安価なマーキングオブジェクトあるいはオブジェクトブランクにおいて適している。特により高価なマーキングオブジェクトあるいはオブジェクトブランクにおいて、電子的なデータキャリアを識別手段として使用することも有利である。特に、いわゆるＲＦＩＤチップ（Ｒａｄｉｏ  Ｆｒｅｑｕｅｎｃｙ  Ｉｄｅｎｔｉｆｉｃａｔｉｏｎ）又は磁気テープは、識別手段内の情報の非接触の読取及び格納を可能にする。このことは、とりわけ、敏感なマーキングオブジェクトにとって有益である。
【００１２】
有利な形態では、オブジェクトキャリアが、少なくとも１つのウェブを有しており、識別手段が、少なくとも部分的に、オブジェクトキャリアのウェブに設けられている。しかし、特に有利なのは、互いに略平行に延びる２つのウェブであり、これらのウェブは、とりわけ、マーキング装置内でのマーキングオブジェクトの規定通りの使用時に、ウェブがマーキングオブジェクトの主搬送方向に向くように設けられている。この形態では、ウェブがすなわち、同時に、マーキングオブジェクトを、マーキング装置の搬送装置、例えば互いに圧接し、かつ駆動されるローラによって、摩擦力結合（ｋｒａｆｔｓｃｈｌｕｅｓｓｉｇ：形状による束縛）式又は形状結合（ｆｏｒｍｓｃｈｌｕｅｓｓｉｇ：形状による束縛）式に接触させて主搬送方向で搬送するために使用されてもよい。
【００１３】
複数の識別手段がマーキングオブジェクトのオブジェクトキャリアに設けられており、複数の識別手段のうちの少なくとも１つの識別手段の情報が、マーキングオブジェクトの配向にかかわらず検出可能であるか、あるいは情報が、複数の識別手段のうちの少なくとも１つの識別手段内に、当該マーキングオブジェクトの配向にかかわらず格納可能であると、特に有利である。
【００１４】
本発明の有利な形態では、識別手段の、マーキングオブジェクトに関する情報が、メーカ標識及び／又はタイプ標識である。これにより、簡単に、マーキングオブジェクトのメーカ及びマーキングオブジェクトのタイプが検出される。タイプ標識は、例えばオブジェクトブランクのために使用される材料の種類といった具体的なデータを含まない「抽象的な」タイプであってよい。この場合、当該タイプのマーキングオブジェクトを説明する「具体的な」情報は、データバンクとの照合によって初めて求められ得る。データバンクは、例えばマーキング装置に包含されている。
【００１５】
本発明の別の有利な形態では、マーキングオブジェクトが対称的であるか、又は非対称的であるか、識別手段の、マーキングオブジェクトに関する情報、すなわちシンメトリ標識が認識される。オブジェクトブランクが対称的にオブジェクトキャリアに保持あるいは配置されているとき、マーキングオブジェクトは対称と見なされる。その結果、１つの固定点に対するオブジェクトブランクの空間的な配置は、マーキングオブジェクトが１８０°回転されても変わらない。この情報は、例えばマーキング装置への本発明に係るマーキングオブジェクトの正しい送給のコントロールのために固有に使用される。マーキングオブジェクトが対称であれば、両端面のどちらでマーキングオブジェクトがマーキング装置内に導入されるか、すなわち両端面のどちらが主搬送方向で見て前であるかは重要ではない。
【００１６】
この関連で、識別手段の、マーキングオブジェクトに関する情報が、マーキングオブジェクトの配向を示す、特に、識別手段がマーキングオブジェクトの前面又は背面に設けられているか、かつ／又はマーキングオブジェクトの前面及び／又は背面のどちら側に識別手段が設けられているかを示すように、マーキングオブジェクトが形成されていると、特に有利である。この構成によって、外部から極めて簡単にマーキングオブジェクトの配向が把握可能であって、これにより、マーキングオブジェクトが後続の加工のために適当に方向付けられているか判断可能である。
【００１７】
本発明に係るマーキングオブジェクトの特に有利な形態では、識別手段が、どのオブジェクトブランクがマーキングされ、どのオブジェクトブランクが未だマーキングされていないかについての情報が内部に格納されている、かつ格納可能であるように構成されている（オブジェクトブランク標識）。本発明のこの有利な形態は、適当なマーキング装置が、部分的に既にマーキングされたマーキングオブジェクト、あるいはオブジェクトブランクが既に取り除かれたマーキングオブジェクトも、正しくマーキングすることを可能にする。これにより、元々あったオブジェクトブランクのうちの一部のみを備えるマーキングオブジェクトも、再利用可能である。
【００１８】
さらに、別の有利な形態では、識別手段が、オブジェクトキャリアの外側の縁部、特にすなわち、規定通りの使用時にマーキングオブジェクトの先頭に立ってマーキング装置に導入可能な外側の縁部に設けられている。これにより、マーキングオブジェクトがなお位置決めされる間に、マーキングオブジェクトに関する情報が既に検出されることが保証される。
【００１９】
さらに、冒頭で述べた課題は、本発明により、上述のマーキング装置において、少なくとも１つの検出及び／又は影響装置が前記識別手段との相互作用のために設けられており、該検出及び／又は影響装置を介して、前記マーキングオブジェクトに関する少なくとも１つの情報が検出可能である、かつ／又は前記マーキングオブジェクトに関する少なくとも１つの情報が、前記識別手段内に格納可能であることにより解決されている。本発明に係るマーキング装置は、本発明に係るマーキングオブジェクトを規定通りに、すなわち、マーキングオブジェクトの識別手段内に含まれる情報あるいは格納すべき情報が、検出あるいは格納され得るように使用するために適している。これにより、本発明に係るマーキングオブジェクトとの関連で前述した情報が、マーキング装置内でマーキングオブジェクトを加工するために、既に前述した有利な形態で使用される。好ましくは、前記マーキングオブジェクトの前記オブジェクトブランクをマーキングする前に、前記検出及び／又は影響装置によって、前記マーキングオブジェクトに関する情報、特にメーカ標識及び／又はタイプ標識及び／又はシンメトリ標識及び／又は配向及び／又は前記マーキングオブジェクトのマーキング済み又は未マーキングのオブジェクトブランク、すなわちオブジェクトブランク標識が検出され、留保される。好ましくは、前記検出され、留保される、マーキングオブジェクトに関する情報が、前記マーキングユニットのパラメータ設定及び／又は制御のために使用される。好ましくは、前記オブジェクトブランクの配向に関する情報が、前記マーキングパターンの適当な位置合わせ、特に回転、及び／又はスケーリングに至るので、前記オブジェクトブランクのマーキングが、前記マーキングオブジェクトホルダ内における前記マーキングオブジェクトの位置にかかわらず実施可能である。好ましくは、前記マーキングオブジェクトのマーキング済み又は未マーキングのオブジェクトブランクに関する、検出され、留保される情報が、前記マーキングユニットの制御及び／又はマーキングパターンの適合のために使用されるので、未マーキングのオブジェクトブランクのみが前記マーキングユニットによってマーキングされる。好ましくは、前記検出及び／又は影響装置が識別手段内に、どのオブジェクトブランクをマーキングしたかについての情報を格納あるいは更新する。
【００２０】
マーキング装置の有利な形態では、マーキングオブジェクトのオブジェクトブランクをマーキングする前に、検出及び／又は影響装置によって、マーキングオブジェクトに関する情報、特にすなわちメーカ標識及び／又はタイプ標識及び／又は配向及び／又はマーキングオブジェクトのマーキング済み又は未マーキングのオブジェクトブランクについての情報（オブジェクトブランク標識）が検出され、留保される。
【００２１】
ここで、マーキングオブジェクトに関する情報が検出及び／又は影響装置によって、すなわち識別手段との「相互作用」によって検出され得ると言った場合、このことは、もちろん、マーキング装置が何らかの種類のデータ処理装置を有することを前提とする。このことは自明であり、さらなる説明を必要としない。同様に、このようなデータ処理装置が、全体として、ここで説明した機能の実現、及びマーキング装置の適当な制御のために役立つことは自明である。例えば、検出及び／又は影響装置によって、マーキングオブジェクトに関する情報が検出され、留保されると言った場合、これにより技術的に、上記機能を実現するデータ処理装置の使用も意味する。検出及び／又は影響装置によって、識別手段の情報が読み取られるとともに、情報が識別手段内に書き込まれる、すなわち格納され得る。識別手段から読み取られた情報は、データ処理装置によって評価され、記憶され得る。
【００２２】
有利な形態では、検出され、留保される、マーキングオブジェクトに関する情報が、マーキング装置内で、マーキングユニットのパラメータ設定及び／又は制御のために使用される。これにより、特に、オブジェクトブランクの配向に関する情報が、マーキングパターンの適当な位置合わせ、特に回転、及び／又はスケーリングもしくはズーミングに至ることを意味する。その結果、オブジェクトブランクのマーキングは、マーキングオブジェクトホルダ内でのマーキングオブジェクトの位置とは無関係に実施可能である。１つのオブジェクトブランクあるいは大抵の場合多数のオブジェクトブランクの配向を検出することによって、マーキング装置は、マーキングを正しく予定のオブジェクトブランクに施すことができるように、設定されたマーキングパターンを適合可能である。それゆえ、マーキング装置が、電子的なデータフォーマットで存在するマーキングパターンを、適当な変換によって、マーキングオブジェクトの検出された位置合わせに適合するので、マーキングオブジェクトの誤った位置合わせは、本発明に係るマーキング装置では、もはやあり得ない。画像データのこの変換、例えば平行移動、回転、鏡映は、自体公知である。
【００２３】
マーキング装置の別の有利な形態では、マーキングオブジェクトのマーキング済み又は未マーキングのオブジェクトブランクに関する、検出され、留保される情報（オブジェクトブランク標識）が、マーキングユニットの制御及び／又はマーキングパターンの適合のために使用、すなわち未マーキングのオブジェクトブランクのみがマーキングユニットによってマーキングされるように使用される。このように構成されたマーキング装置は、部分的に使用されたマーキングオブジェクト、すなわち、オブジェクトブランクの一部だけがマーキングされているマーキングオブジェクトも再利用することを可能にする。すなわち、マーキング装置は、マーキングオブジェクトのどのオブジェクトブランクが未だ存在するか、あるいは未だマーキングされていないか、かつ／又はどのオブジェクトブランクがもはや存在しないか、あるいは既にマーキングされているかについての情報を入手可能である。本発明に係るマーキング装置は、この情報を、設定されたあるいは設定可能なマーキングパターンと比較することによって、設定されたマーキングパターンのどの部分が、対応する位置においてもはやマーキングされ得ないか認識可能であり、それゆえ、マーキング装置は、そのような対立状態にも対応可能である。この対立状態は、マーキングユニットが既にマーキングされたオブジェクトブランクの位置においてマーキングを行わないことによって対処されても、設定されたマーキングパターンが適合されること、例えばオブジェクトブランクのもはやマーキング不能な位置が、未だマーキングされていないオブジェクトブランクの未だマーキング可能な位置へとずらされることによって対処されてもよい。
【００２４】
個々には、なお、本発明に係るマーキングオブジェクト及び本発明に係るマーキング装置を構成し、改良する多数の可能性が存在する。これについては、請求項１及び請求項１０に従属する請求項、並びに図面との関連で以下に説明する実施の形態を参照されたい。
【図面の簡単な説明】
【００２５】
【図１】本発明に係るマーキングオブジェクトの一実施の形態の平面図である。
【図２】本発明に係るマーキングオブジェクトの別の実施の形態の平面図である。
【図３】本発明に係るマーキングオブジェクトのさらに別の実施の形態の平面図である。
【図４】本発明に係るマーキング装置の一実施の形態の概略側面図である。
【図５】マーキング装置としてのプリンタの斜視図である。
【００２６】
図１〜図３には、それぞれ、オブジェクトキャリア２と、このオブジェクトキャリア２によって保持される複数のオブジェクトブランクあるいはオブジェクトパネル３とを備えるマーキングオブジェクト１が示されている。図１及び図３に示したオブジェクトブランク３は、列状に対称的に配置されている。これに対して、図２に示したオブジェクトブランク３は、非対称的に配置されている。これにより、図１及び図３に示したマーキングオブジェクト１は、対称的に形成されている。つまり、両端面のうちのどちらで、マーキングオブジェクト１がマーキング装置７に導入されてもよい。これに対して、図２に示したマーキングオブジェクト１は、非対称的であるので、このオブジェクトブランク３をマーキングするにあたって、どの端面で、マーキングオブジェクト１がマーキング装置７内に導入されるか考慮する必要がある。オブジェクトブランク３は、図１〜図３には示されていないマーキング装置によってマーキング可能である。
【００２７】
図面に示したマーキングオブジェクト１は、それぞれ、オブジェクトキャリア２が複数の識別手段（４ａ，４ｂ，４ｃ，４ｄ）を備えるように構成されている。識別手段（４ａ，４ｂ，４ｃ，４ｄ）は、マーキングオブジェクト１に関する少なくとも１つの情報を含む。図３に示したマーキングオブジェクト１では、識別手段４ｄ内に、マーキングオブジェクト１に関する情報が格納されてもよい。
【００２８】
図１〜図３には、オブジェクトキャリア２が、互いに略平行に延びる２つのウェブ５を備えることが見て取れる。識別手段（４ａ，４ｂ，４ｃ，４ｄ）は、オブジェクトキャリア２のウェブ５上に設けられている。ウェブ５は、マーキング装置７内に挿入されるマーキングオブジェクト１の主搬送方向Ｔに対して平行に延びる。
【００２９】
図１〜図４に示したマーキングオブジェクト１は、やはり、複数の識別手段（４ａ，４ｂ，４ｃ，４ｄ）が、これらの複数の識別手段（４ａ，４ｂ，４ｃ，４ｄ）のうちの少なくとも１つの識別手段の情報がマーキングオブジェクト１の配向とは無関係に検出可能であるように、オブジェクトキャリア２に設けられている点で共通している。例えば、識別手段４ａ及び識別手段４ｃがそれぞれマーキングオブジェクト１の対向する角隅に配置されていることが見て取れる。その結果、このマーキングオブジェクト１の使用時、その両端面のうちのどちらで、マーキングオブジェクトが例えばマーキング装置内に導入されるかを問わない。同じことは、ウェブ５の対向する個所に設けられた識別手段４ｂについても言える。
【００３０】
図示の実施の形態では、識別手段（４ａ，４ｂ，４ｃ，４ｄ）の、マーキングオブジェクト１に関する情報が、メーカ標識４ａ及びタイプ標識４ｂである。さらに、マーキングオブジェクト１、あるいはマーキングオブジェクト１内におけるオブジェクトブランク３の配置が対称的であるか、又は非対称的であるかを認識させるシンメトリ標識４ｃも設けられている。図１〜図３に示した実施の形態では、シンメトリ標識４ｃは、対向する穿孔部である。穿孔部は、対称的なマーキングオブジェクト１では、それぞれ、正方形かつ同じサイズであり（図１及び図３）、非対称的なマーキングオブジェクト１では、それぞれ異なるサイズである（図２）。その結果、全体として、非対称が存在すること、かつマーキングオブジェクト１の異なる端面のうちのどれがまさに検出されているかを認識可能である。
【００３１】
ここには図示されていないマーキングオブジェクトは、識別手段の、マーキングオブジェクトに関する情報が、マーキングオブジェクトの配向を示すこと、すなわち、特に、識別手段がマーキングオブジェクトの前面又は背面に設けられているか、かつ／又はマーキングオブジェクト１の前面及び／又は背面のどちら側に識別手段が設けられているかを表すことを特徴とする。
【００３２】
図３に示した実施の形態は、識別手段が、どのオブジェクトブランク３がマーキングされたか、又はどのオブジェクトブランク３が未だマーキングされていないかについての情報が内部に格納されているか、又は格納可能であるように構成されているオブジェクトブランク標識４ｄであることを特徴とする。これにより、原則的に、完全にはマーキングされていないマーキングオブジェクト１を、適当に構成されたマーキング装置によって、未だマーキングされていないオブジェクトブランク３のみが使用されるようにマーキングすることが可能である。
【００３３】
図示の実施の形態では、識別手段（４ａ，４ｂ，４ｃ，４ｄ）がオブジェクトキャリア２の外側の縁部６に設けられているので、簡単に、マーキングオブジェクト１のどの個所で識別手段（４ａ，４ｂ，４ｃ，４ｄ）の情報が読み取られ、格納され得るのか、確定されている。図示のマーキングオブジェクト１は、有利にはプラスチック射出成形部品として形成されており、オブジェクトブランク３は、電気的又は電子的な装置のためのマーキングラベルとして形成されている。マーキングラベルは、有利にはハウジング又は装置に設けられた対応する切欠き内に係止又は挿入可能である。
【００３４】
図４には、少なくとも１つのマーキングオブジェクト１をマーキングするためのマーキング装置７が部分的に示されている。マーキング装置７は、マーキングユニット８及びマーキングオブジェクトホルダ９を有する。マーキングユニット８及びマーキングオブジェクトホルダ９は図５に示されている。さらに、マーキング装置７は、オブジェクトブランク３に表記付けするマーキングパターンを有する。マーキングユニット８及びマーキングオブジェクトホルダ９は、主搬送方向Ｔで互いに相対的に可動であり、主搬送方向は、図示の実施の形態では紙面に直交する。使用されるマーキングオブジェクト１は、前述のマーキングオブジェクト１の１つであり、オブジェクトキャリア２、及びオブジェクトキャリア２によって保持される複数のオブジェクトブランク３を備える。オブジェクトキャリア２は識別手段４を有する。
【００３５】
識別手段４との相互作用のために、検出及び／又は影響装置１０が設けられている。検出及び／又は影響装置１０を介して、マーキングオブジェクト１に関する情報は、検出可能であり、かつマーキングオブジェクト１に関する情報は、識別手段４内に格納可能である。
【００３６】
さらに、マーキング装置７は、マーキングオブジェクト１のオブジェクトブランク３のマーキング前に、検出及び／又は影響装置１０によって、マーキングオブジェクト１に関する情報が検出され、留保あるいは用意されることを特徴とする。この情報あるいは検出される情報は、図示の実施の形態では、メーカ標識４ａ、タイプ標識４ｂ、シンメトリ標識４ｃ及びオブジェクトブランク標識４ｄである。
【００３７】
図示のマーキング装置７では、検出され、留保される、マーキングオブジェクト１に関する情報は、マーキングユニット８のパラメータ設定及び制御のために使用される。このことは、必然的に常に、実際に使用されるマーキングオブジェクト１に属する情報が使用されるので、図示のマーキング装置を特に有利なものとする。
【００３８】
図示の実施の形態では、オブジェクトブランク３の配向に関する情報が、マーキングパターンの適当な位置合わせ、特にすなわち回転のために、かつスケーリングのために使用される。その結果、オブジェクトブランク３のマーキングは、マーキングオブジェクトホルダ９内におけるマーキングオブジェクト１の位置とは無関係に実施可能である。特に、マーキングオブジェクト１の、マーキングされた、又はマーキングされていないオブジェクトブランク３に関する、検出され、留保される情報、すなわちオブジェクトブランク標識が、マーキングユニット８の制御のために、又はマーキングパターンの適合のためにも使用されるので、マーキングされていないオブジェクトブランク３だけが、マーキングユニット８によってマーキングされる。
【００３９】
最後に、図４に示したマーキング装置７は、識別手段４内に、どのオブジェクトブランク３がマーキングユニット８によってマーキングされたかについての情報を格納あるいは更新することを特徴とする。
【００４０】
図５は、マーキング装置７として使用されるプリンタを示す。プリンタは、例えばインクジェットプリンタである。プリンタ７は、図５には概略的にのみ示した、マーキングユニット８としての印刷ヘッドと、マーキングオブジェクトホルダ９とを有する。マーキングオブジェクトホルダ９は、マーキングしたいマーキングオブジェクト１を収容するためにも、主搬送方向で搬送するために役立つ。マーキング装置７によってマーキングオブジェクト１を搬送するために、図４には概略的にのみ示した複数のローラ１１が、マーキング装置７内に配置されていることができる。ローラ１１は、マーキングオブジェクトホルダ９内に装入されたマーキングオブジェクト１のウェブ５に摩擦力結合式又は形状結合式に接触して、マーキングオブジェクト１を主搬送方向で搬送するように、互いに方向付けられている。さらに、図５には、検出及び／又は影響装置１０と協働するデータ処理装置１２が、概略的に示されている。
【図１】
2010534582.tif 000003
【図２】
2010534582.tif 000004
【図３】
2010534582.tif 000005
【図４】
2010534582.tif 000006
【図５】
2010534582.tif 000007
【国際調査報告】
2010534582.tif 000008
2010534582.tif 000009
2010534582.tif 000010
2010534582.tif 000011